【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
電流が流れることによって発光する発光素子と、
ソースが電源に接続され、ドレインが前記発光素子に電流を供給するトランジスタと、
前記トランジスタのゲートに一端が接続された容量と、
前記トランジスタのゲートに切り離し可能に接続され、前記トランジスタのゲートを初期電圧に設定するゲート電圧設定回路と、
前記容量の他端に接続され、前記容量の前記他端の電圧を、画像情報に対応したデータ電圧と画像情報によらない一定の参照電圧のいずれかに設定する容量端電圧設定回路と、を備え、
前記ゲート電圧設定回路が前記トランジスタのゲート電圧を前記初期電圧に設定するとともに、前記容量端電圧設定回路が、前記容量の前記他端の電圧を、前記データ電圧および前記参照電圧のうちのいずれか一方に設定し、
前記トランジスタのゲート電圧を前記初期電圧に設定した後、前記容量の前記他端の電圧を、前記設定された一方の電圧から他方の電圧に切り替えることにより、前記トランジスタのゲート電圧が前記データ電圧に依存する書き込み電圧に設定され、
前記書き込み電圧によって定まる電流を前記発光素子に供給する表示装置であって、
前記初期電圧、または前記参照電圧を変化させることにより、前記発光素子に流れる電流が前記データ電圧に依存して変動する範囲をシフトさせる調整手段を有することを特徴とする表示装置。
【請求項２】
前記ゲート電圧設定回路が、前記トランジスタのドレインから前記発光素子に供給される電流を遮断する手段と、前記トランジスタのゲート−ドレイン間を短絡する短絡スイッチとを含むことを特徴とする請求項１に記載の表示装置。
【請求項３】
前記調整手段が、前記短絡スイッチによる前記ゲート−ドレイン間の短絡を終了するタイミングを変化させることにより、前記初期電圧を変化させることを特徴とする請求項２に記載の表示装置。
【請求項４】
前記調整手段が、前記参照電圧を変化させることを特徴とする請求項１に記載の表示装置。
【請求項５】
前記ゲート電圧設定回路が前記トランジスタのゲート電圧を前記初期電圧に設定している間に、前記容量端電圧設定回路が、前記容量の他端の電圧を前記データ電圧に設定し、前記ゲート電圧設定回路が前記トランジスタのゲートから切り離された後に、前記容量端電圧設定回路が前記容量の他端の電圧を前記参照電圧に切り替えることを特徴とする請求項１ないし４のいずれか１項に記載の表示装置。
【請求項６】
前記ゲート電圧設定回路が前記トランジスタのゲート電圧を前記初期電圧に設定している間に、前記容量端電圧設定回路が、前記容量の他端の電圧を前記参照電圧に設定し、前記ゲート電圧設定回路が前記トランジスタのゲートから切り離された後に、前記容量端電圧設定回路が前記容量の他端の電圧を前記データ電圧に切り替えることを特徴とする請求項１ないし４のいずれか１項に記載の表示装置。
【請求項７】
電流が流れることによって発光する発光素子と、
ソースが電源に接続され、ドレインから前記発光素子に電流を供給するトランジスタと、前記トランジスタのゲートに一端が接続された容量と、
前記トランジスタのゲートに切り離し可能に接続され、前記トランジスタのゲート電圧を初期電圧に設定するゲート電圧設定回路と、
前記容量の他端に接続され、前記容量の他端の電圧を、画像情報に対応したデータ電圧と画像情報によらない一定の参照電圧のいずれかに設定する容量端電圧設定回路と、
を備えた表示装置の駆動方法であって、
（１）前記ゲート電圧設定回路が、前記トランジスタのゲート電圧を前記初期電圧に設定する工程と、
（２）前記容量端電圧設定回路が、前記容量の他端の電圧を前記データ電圧および前記参照電圧のうちのいずれか一方に設定する工程と、
（３）前記ゲート電圧設定回路が前記トランジスタのゲートから切り離された状態で、前記容量端電圧設定回路が、前記容量の他端の電圧を前記（２）で設定された一方の電圧からもう一方の電圧に切り替える工程と、
（４）前記トランジスタのドレインから、前記書き込み電圧に応じた電流を前記発光素子に供給することにより、前記発光素子を発光させる工程と、
を有し、前記初期電圧または参照電圧を変化させることにより、前記発光素子に流れる電流が前記データ電圧に依存して変動する範囲をシフトさせることを特徴とする表示装置の駆動方法。
【請求項８】
電流が流れることによって発光する発光素子と、
ゲートに印加される書き込み電圧に応じた電流を前記発光素子に供給するトランジスタと、
画像情報に対応したデータ電圧に基づいて、前記トランジスタのゲートに印加される書き込み電圧を制御する制御回路と、
を備え、複数の表示モードで切り換え可能に表示を行う表示装置の駆動方法であって、
前記制御回路は、前記データ電圧の振幅を変化させることなく、前記表示モードに応じて異なる値に定められた電圧の分、前記データ電圧をシフトさせた電圧を前記書き込み電圧とすることによって、前記発光素子に流れる電流がデータ電圧に依存して変動する範囲をシフトさせることを特徴とする表示装置の駆動方法。
【手続補正２】
【補正対象書類名】明細書
【補正対象項目名】０００７
【補正方法】変更
【補正の内容】
【０００７】
上記課題を解決する本発明は、電流が流れることによって発光する発光素子と、
ソースが電源に接続され、ドレインが前記発光素子に電流を供給するトランジスタと、
前記トランジスタのゲートに一端が接続された容量と、
前記トランジスタのゲートに切り離し可能に接続され、前記トランジスタのゲートを初期電圧に設定するゲート電圧設定回路と、
前記容量の他端に接続され、前記容量の他端の電圧を、画像情報に対応したデータ電圧と画像情報によらない一定の参照電圧のいずれかに設定する容量端電圧設定回路と、
を備え、
前記ゲート電圧設定回路が前記トランジスタのゲート電圧を前記初期電圧に設定するとともに、前記容量端電圧設定回路が、前記容量の他端の電圧を、前記データ電圧および前記参照電圧のうちのいずれか一方に設定し、
前記ゲート電圧設定回路が前記トランジスタのゲートから切り離された状態で、前記容量端電圧設定回路が、前記容量の他端の電圧を、前記設定された一方の電圧からもう一方の電圧に切り替えることにより、前記トランジスタのゲート電圧が前記データ電圧に依存する書き込み電圧に設定され、
前記書き込み電圧によって定まる電流が、前記トランジスタのドレインから前記発光素子に流れて前記発光素子を発光させる表示装置であって、
前記初期電圧、または前記参照電圧を変化させることにより、前記発光素子に流れる電流が前記データ電圧に依存して変動する範囲を調整する調整手段を有することを特徴とする。
【手続補正３】
【補正対象書類名】明細書
【補正対象項目名】０００８
【補正方法】変更
【補正の内容】
【０００８】
また、本発明は、電流が流れることによって発光する発光素子と、
ソースが電源に接続され、ドレインから前記発光素子に電流を供給するトランジスタと、
前記トランジスタのゲートに一端が接続された容量と、
前記トランジスタのゲートに切り離し可能に接続され、前記トランジスタのゲート電圧を初期電圧に設定するゲート電圧設定回路と、
前記容量の他端に接続され、前記容量の他端の電圧を、画像情報に対応したデータ電圧と画像情報によらない一定の参照電圧のいずれかに設定する容量端電圧設定回路と、
を備えた表示装置の駆動方法であって、
（１）前記ゲート電圧設定回路が、前記トランジスタのゲート電圧を前記初期電圧に設定する工程と、
（２）前記容量端電圧設定回路が、前記容量の他端の電圧を前記データ電圧および前記参照電圧のうちのいずれか一方に設定する工程と、
（３）前記ゲート電圧設定回路が前記トランジスタのゲートから切り離された状態で、前記容量端電圧設定回路が、前記容量の他端の電圧を前記（２）で設定された一方の電圧からもう一方の電圧に切り替える工程と、
（４）前記トランジスタのドレインから、前記書き込み電圧に応じた電流を前記発光素子に供給することにより、前記発光素子を発光させる工程と、
を有し、前記初期電圧または参照電圧を変化させることにより、前記発光素子に流れる電流が前記データ電圧に依存して変動する範囲をシフトさせることを特徴とする。
さらに、本発明は、電流が流れることによって発光する発光素子と、
ゲートに印加される書き込み電圧に応じた電流を前記発光素子に供給するトランジスタと、
画像情報に対応したデータ電圧に基づいて、前記トランジスタのゲートに印加される書き込み電圧を制御する制御回路と、
を備え、複数の表示モードで切り換え可能に表示を行う表示装置の駆動方法であって、
前記制御回路は、前記データ電圧の振幅を変化させることなく、前記表示モードに応じて異なる値に定められた電圧の分、前記データ電圧をシフトさせた電圧を前記書き込み電圧とすることによって、前記発光素子に流れる電流がデータ電圧に依存して変動する範囲をシフトさせることを特徴とする。